(57)【要約】      （修正有）【課題】  私たちは引力圏内で生活していく限り避けて通れないエネルギー消費に付いて物体が固体液体気体と無重力内の摩擦が有るが、引力圏内で物質摩擦に変へその摩擦を少なくすればする程エネルギー消費を少なくする事が出来ます。【解決手段】  従ってエネルギーに付いて、古代社会では細胞エネルギーと言って人畜その他を使用していたが、現在社会では核破壊熱と言って熱エネルギーでその中に火薬、ガス、石油、石炭、原子核同しの衝突熱電流の衝突熱、その他が有りますが公害が多発し、これからは公害が全く無い核運動エネルギーと言って永久磁石の磁力スプリングの瞬発力地球の引力その他が有りますが、その中の永久2006141189.tif 000003ルギーを保持し従って永久磁石の放射粒子は９０度と０度の力の中心粒子は磁気生産に従事し４５度の力の中心粒子は吸引物体を引張り力と吊上げ力で２２．５度のｔｉ殻の中心粒子は吸引物体を１８０度回転さす作用を行ないスプリングもカムプーリ使用すると無限のエネルギーを得る事が出来ます。【選択図】図１
2006141189.tif 000002
【特許請求の範囲】
【請求項１】
（Ａ）固定永久磁石のＮ極Ｓ極を円筒型に組合し、その中へ回転磁石を入れると表面磁石は固定磁石Ｎ極とＳ極の中心から中心迄で強い力が回転します。側面磁石は固定磁石のＮ極又はＳ極の端から端まで強い力で回転します。
（Ｘ）軟鉄ケースの要所を（Ｒ）非金属で仕切りその中へ磁石を入れると強い力で回転しますが、この非金属の間を軟鉄で閉じると磁石回路が出来て回転力が無く成ります。又２段式固定磁石にし回転子の磁石も固定磁石に合した回転子を（Ｃ）主軸へ通し（Ｑ）カムで上の段へ突き上げても下の段へ引き下げても強い力で回転します。カムの関係で固定磁石の裏面巾は５ｍｍから３０ｍｍが限界です。
【請求項２】
スプリング原動機（モータ）は物体の落下速度９．８ｍに比べスプリングの瞬発速度は音速を超える早さで（Ｈ）回転子の軸元へカムを取り付け、カムと（Ｊ）天秤棒でスプリングを縮め一瞬に伸びる早い速度と強い力を回転子の外部へ取り付けている（Ｖ）ボッチを打つと回転子は強い力と早い速度で円芯運動します。これら総ての装置を特許請求の範囲とします。
【発明の詳細な説明】
【技術分野】
【０００１】  人類が永遠に使用するエネルギーに磁力とかスプリングの瞬発力といった核運動エネルギーなのでこれらの材料は鉄の酸化物といって鉄のさびでスプリングは鋼鉄ですから無尽蔵に有ります。
【背景技術】
【０００２】  図１（Ａ）固定磁石の中へ（Ｂ）磁石の側面使用した（Ｇ）回転子を（Ｃ）主軸へ通し（Ｑ）カムとスプリングで回転子を突き上げると強い力と早い速度で回転し、引き下げると正常回転力と反対回転力により力が無くなる事により、回転子は強い力と早い速度で円芯運動しますが回転子をカムで２４ｍｍ突き上げ次は２４ｍｍ引き下げれば突き上げても引き下げても強い力と早い速度で円芯運動します。【０００３】  図２（Ａ）固定磁石の中へ（Ｇ）回転子を入れると（Ｅ）コ字型軟鉄箱に磁石が入れて有って（Ｑ）カムで磁石を箱から１０ｍｍ引き込むと磁気回路が出て来て力も速度も無く成り箱から５ｍｍ突き出すと強い力と早い速度で円芯運動します。【０００４】  図３スプリング原動機（モータ）は物体の落下速度９．８ｍ（Ｋ）スプリングを（Ｑ）カムと天秤棒で縮め１瞬に伸びる速度は音速を超える事により（Ｇ）回転子の軸元へ（Ｑ）カムを取り付けカムと（Ｊ）天秤棒でスプリングを縮め１瞬に伸びる強い力と早い速度を回転子の外部へ取り付けている（Ｖ）ボッチを打つと回転子は強い力と早い速度で円芯運動します。
【図面の簡単な説明】
【０００５】
【図１】磁力原動機（モータ）は（Ａ）固定磁石の中へ回転子を主軸へ通し（Ｑ）カムと（Ｋ）スプリングで回転子を突き引きするモータの前面図
【図２】同じモータで（Ａ）固定磁石の中へ回転子を入れ（Ｅ）コ字型軟鉄箱の磁石をカムで突き込んだり引き出したりするモータの前面図
【図３】スプリング原動機（モータ）は物体の落下速度は９．８ｍスプリングの瞬発力は音速を超える力と速度を利用したモータの前面図
【符号の説明】
【０００６】（Ｃ）主軸（Ａ）固定磁石（Ｂ）回転磁石（Ｑ）カム（Ｊ）天秤棒
（Ｅ）コ字型軟鉄箱（Ｋ）スプリング（Ｒ）非金属（Ｐ）回転子の重り
（Ｏ）停止線上を越えた方向へ回転します
【図１】
2006141189.tif 000004
【図２】
2006141189.tif 000005
【図３】
2006141189.tif 000006
【手続補正書】
【提出日】平成17年11月9日(2005.11.9)
【手続補正１】
【補正対象書類名】特許請求の範囲
【補正対象項目名】全文
【補正方法】変更
【補正の内容】
【特許請求の範囲】
【請求項１】
（Ａ）固定永久磁石のＮ極Ｓ極を円筒型に組合し、その中へ回転磁石を入れると表面磁石は固定磁石Ｎ極とＳ極の中心から中心迄で強い力で回転します。側面磁石は固定磁石のＮ極又はＳ極の端から端まで強い力で回転します。
（Ｘ）軟鉄ケースの要所を（Ｒ）非金属で仕切りその中へ磁石を入れると強い力で回転しますが、この非金属の間を軟鉄で閉じると磁石回路が出来て回転力が無く成ります。又２段式固定磁石にし回転子の磁石も固定磁石に合した回転子を（Ｃ）主軸へ通し（Ｑ）カムで上の段へ突き上げても下の段へ引き下げても強い力で回転します。カムの関係で固定磁石の表面巾は５ｍｍから３０ｍｍが限界です。
【請求項２】
スプリング原動機（モータ）は物体の落下速度９．８ｍに比べスプリングの瞬発速度は音速を超える早さで（Ｇ）回転子の軸元へカムを取り付け、カムと（Ｊ）天秤棒でスプリングを縮め一瞬に伸びる早い速度と強い力を回転子の外部へ取り付けている（Ｖ）ボッチを打つと回転子は強い力と早い速度で円芯運動します。これら総ての装置を特許請求の範囲とします。
【手続補正２】
【補正対象書類名】明細書
【補正対象項目名】全文
【補正方法】変更
【補正の内容】
【発明の詳細な説明】
【技術分野】
【０００１】  人類が永遠に使用するエネルギーに磁力とかスプリングの瞬発力といった核運動エネルギーなのでこれらの材料は鉄の酸化物といって鉄のさびでスプリングは鋼鉄ですから無尽蔵に有ります。
【背景技術】
【０００２】  図１（Ａ）固定磁石の中へ（Ｂ）磁石の側面使用した（Ｇ）回転子を（Ｃ）主軸へ通し（Ｑ）カムとスプリングで回転子を突き上げると強い力と早い速度で回転し、引き下げると正常回転力と反対回転力により力が無くなる事により、回転子は強い力と早い速度で円芯運動しますが回転子をカムで２２ｍｍ突き上げ次は２２ｍｍ引き下げれば突き上げても引き下げても強い力と早い速度で円芯運動します。【０００３】  図２（Ａ）固定磁石の中へ（Ｇ）回転子を入れると（Ｅ）コ字型軟鉄箱に磁石が入れて有って（Ｑ）カムで磁石を箱から１０ｍｍ引き込むと磁気回路が出て来て力も速度も無く成り箱から５ｍｍ突き出すと強い力と早い速度で円芯運動します。【０００４】  図３スプリング原動機（モータ）は物体の落下速度９．８ｍ（Ｋ）スプリングを（Ｑ）カムと天秤棒で縮め１瞬に伸びる速度は音速を超える事により（Ｇ）回転子の軸元へ（Ｑ）カムを取り付けカムと（Ｊ）天秤棒でスプリングを縮め１瞬に伸びる強い力と早い速度を回転子の外部へ取り付けている（Ｖ）ボッチを打つと回転子は強い力と早い速度で円芯運動します。
【図面の簡単な説明】
【０００５】
【図１】磁力原動機（モータ）は（Ａ）固定磁石の中へ回転子を主軸へ通し（Ｑ）カムと（Ｋ）スプリングで回転子を突き引きするモータの前面図
【図２】同じモータで（Ａ）固定磁石の中へ回転子を入れ（Ｅ）コ字型軟鉄箱の磁石をカムで突き込んだり引き出したりするモータの前面図
【図３】スプリング原動機（モータ）は物体の落下速度は９．８ｍスプリングの瞬発力は音速を超える力と速度を利用したモータの前面図
【符号の説明】
【０００６】  （Ｃ）主軸（Ａ）固定磁石（Ｂ）回転磁石（Ｑ）カム（Ｊ）天秤棒（Ｅ）コ字型軟鉄箱（Ｋ）スプリング（Ｒ）非金属（Ｐ）回転子の重り（Ｏ）上段固定磁石のＮ盤使用する回転磁石へカム（勾配５°〜２６°内）でＳ盤使用さすと力が無くなり停止しまず始動さすには静止線上まで返し下段のＮ盤へ乗せれば強い力で回転します（Ｍ）固定磁石と回転磁石の間は１０馬力で８ｍｍ５００馬力で１６ｍｍ内にする事磁石と非金属を挟む様に４．８．〜４０極と組合わせて１個の輪と非金属輪を作りそれを挟む様に２．３．４〜６０段重ねて固定磁石パイプにしそれに合った回転磁石を入れると何千馬力のモータも簡単に作れます（Ｗ）軟鉄開閉扉
【手続補正３】
【補正対象書類名】図面
【補正対象項目名】全図
【補正方法】変更
【補正の内容】
【図１】
2006141189.tif 000007
【図２】
2006141189.tif 000008
【図３】
2006141189.tif 000009